(57)【要約】【課題】  移動端末の周囲環境が時間の経過と共に変化するような場合でも、その変化後の状況に応じた受信状況を知ることができる。【解決手段】  携帯電話器２において、放送信号を受信し、そのレベルを検出し、携帯電話器２の位置を検出し、検出した受信レベルと位置とに基づいて、当該位置における受信状況を、携帯電話器２の表示部に表示する。【選択図】        図１
2007274354.tif 000002
【特許請求の範囲】
【請求項１】
移動端末に設けられ、放送信号を受信する受信手段と、
前記移動端末に設けられ、前記受信手段が受信した前記放送信号のレベルを検出し、その検出したレベルを表すレベル情報を生成するレベル検出手段と、
前記移動端末に設けられ、当該移動端末の位置を表す位置情報を生成する位置検出手段と、
前記移動端末に設けられ、前記レベル情報と前記位置情報とに基づいて、前記位置情報が表す位置における前記放送信号の受信状況を表すデータを作成するデータ作成手段と、
前記移動端末に設けられ、前記データを表示する表示手段とを、
具備する受信状況表示装置。
【請求項２】
請求項１記載の受信状況表示装置において、前記移動端末の傾きを検出し、その傾きを表す傾き情報を生成する傾き検出手段が、前記移動端末に設けられ、前記データ作成手段が、前記レベル情報及び前記位置情報の他に前記傾き情報に基づいて、前記移動端末の位置での前記移動端末の傾きにおける受信状況を表す前記データを生成する受信状況表示装置。
【請求項３】
請求項１記載の受信状況表示装置において、前記移動端末が、第１及び第２の部分からなり、第１の部分内に前記放送信号の受信用アンテナが設けられ、第１の部分が第２の部分に対してなす角度が変更可能に構成され、この移動端末には、前記角度を検出し、その角度を表す角度情報を生成する角度検出手段が設けられ、前記データ生成手段が、前記レベル情報及び前記位置情報の他に前記角度情報にも基づいて、前記移動端末の位置での前記移動端末の角度における受信状況を表す前記データを生成する受信状況表示装置。
【請求項４】
請求項２記載の受信状況表示装置において、前記移動端末が、第１及び第２の部分からなり、第１の部分内に前記放送信号の受信用アンテナが設けられ、第１の部分が第２の部分に対してなす角度が変更可能に構成され、この移動端末には、前記角度を検出し、その角度を表す角度情報を生成する角度検出手段が設けられ、前記データ生成手段が、前記レベル情報、前記位置情報及び前記傾き情報の他に前記角度情報にも基づいて、前記移動端末の位置での前記移動端末の角度及び傾きにおける受信状況を表す前記データを生成する受信状況表示装置。
【請求項５】
請求項１乃至４いずれか記載の受信状況表示装置を備えた複数の移動端末が、管理センタと通信可能に構成され、前記管理センタには、前記複数の移動端末から前記データがそれぞれ送信され、前記管理センタは、各データから様々な位置における受信状況を表すデータベースを作成し、前記各移動端末は、前記管理センタに前記位置情報を送信し、前記管理センタは、送信された位置情報に対応する受信状況を表すデータを当該移動端末に送信する受信状況報知システム。
【請求項６】
請求項５記載の受信状況報知システムにおいて、前記データベースが、前記位置情報が表す位置にある前記移動端末において前記放送信号が受信可能か否かを表した受信エリアマップを含む受信状況表示装置。
【発明の詳細な説明】
【技術分野】
【０００１】
本発明は、携帯電話器のような移動端末における放送信号の受信状況を移動端末で表示する移動端末受信状況表示装置及びこの装置を利用した受信状況報知システムに関する。
【背景技術】
【０００２】
現在、我が国では地上デジタル放送が開始されている。地上デジタル放送では、移動端末、例えば携帯端末向けの放送がまもなく開始される。この携帯端末向けの放送を良好に受信するために、携帯端末の現在位置において受信可能な地上デジタル放送番組を示すＥＰＧを携帯端末に配信する技術が、例えば特許文献１に開示されている。
【０００３】
特許文献１に開示されている技術では、携帯端末から位置情報を含むＥＰＧ要求情報が通信局に送信される。通信局には、データベースが構築されており、このデータベースは、放送サービスエリアマップを格納しており、受信した位置情報をキーとして、このデータベースを検索し、受信した位置情報が表す位置又はその位置付近において受信可能な放送チャンネルを、携帯端末に送信する。
【０００４】
【特許文献１】特開２００４−１０４４８２号公報
【発明の開示】
【発明が解決しようとする課題】
【０００５】
特許文献１の技術では、予めデータベースが作成されている。そのデータベースは実地実験やシミュレーションによって作成する旨の記載がある。携帯端末は、携帯端末の周囲にあるビルなどの建物による電波の遮蔽や、建物で反射した同じ電波が複数の方向から携帯端末に到来するマルチパスの影響を受けやすく、例えば或る位置で実地実験やシミュレーションを行った後に、その位置の周囲の建物の状況などが変化すると、実地実験やシミュレーションを行ったときと前提が変化しており、実地実験やシミュレーションでは受信できると思われていた位置で受信できないことが生じる可能性が高い。また、携帯端末には、個体差（例えば携帯端末自体の傾き、携帯端末の放送局に対する向き、携帯端末の機種の相違によるアンテナの感度の相違）があり、これによって受信レベルも変化があり、詳細なデータベースの作成は困難であった。
【０００６】
本発明は、移動端末の周囲環境が時間の経過と共に変化するような場合でも、その変化後の状況に応じた受信状況を知ることができる移動端末の受信状況表示装置及びこの表示装置を使用した受信状況報知システムを提供することを目的とする。
【課題を解決するための手段】
【０００７】
本発明の一態様の受信状況表示装置は、移動端末に設けられた受信手段、レベル検出手段、位置検出手段、データ作成手段、表示手段を有している。移動端末としては、例えば携帯電話器、ＰＨＳ、ＰＤＡ、車載用端末、モバイルＰＣ等を使用できる。受信手段は、放送信号、例えば地上デジタルテレビジョン放送信号、具体的にはワンセグ放送を受信するものである。レベル検出手段は、受信手段が受信した前記放送信号のレベルを検出し、その検出したレベルを表すレベル情報を生成する。位置検出手段は、当該移動端末の位置を表す位置情報を生成する。データ作成手段は、前記レベル情報と前記位置情報とに基づいて、前記位置情報が表す位置における前記放送信号の受信状況を表すデータを作成する。表示手段は、前記データを表示する。レベル検出手段、位置検出手段、データ作成手段、表示手段は、常時動作させることもできるが、予め定めた時間が経過するごとに動作させることもできる。
【０００８】
このように構成した受信状況表示装置では、日常の生活地域における種々の最新データを蓄積することができる。また、予め実地実験やシミュレーションによって作成したデータベースを用いるのではなく、各移動端末の現在の位置及びその位置での実際の受信レベルとを基にして作成されたデータを使用している。そのため、移動端末の周囲の状況が、過去と変化していたとしても、現在の環境の受信状況を移動端末において知ることができる。
【０００９】
前記移動端末に、前記移動端末の傾きを検出し、その傾きを表す傾き情報を生成する傾き検出手段を設けることができる。この場合、前記データ作成手段が、前記レベル情報及び前記位置情報の他に前記傾き情報にも基づいて、前記移動端末の位置での前記移動端末の傾きにおける受信状況を表す前記データを生成する。
【００１０】
このように構成すると、移動端末が例えば携帯電話器のように手持ちされて傾いている場合、位置だけでなくその傾きにも対応した受信状況を知ることができる。
【００１１】
前記移動端末は、第１及び第２の部分からなり、第１の部分の内部に放送信号受信用アンテナが設けられ、第１の部分が第２の部分に対してなす角度が変更可能なものとすることができる。この場合、移動端末には、前記角度を検出し、その角度を表す角度情報を生成する角度検出手段が設けられる。更に、前記データ生成手段が、前記レベル情報及び前記位置情報の他に前記角度情報にも基づいて、前記移動端末の位置での前記移動端末の角度における受信状況を表す前記データを生成する。
【００１２】
第１の部分が第２の部分に対してなす角度が変更可能な移動端末、例えば折り畳み可能な携帯電話器の場合、アンテナの角度は、第１の部分を第２の部分に対してどのような角度にしているかによって変化し、その角度に応じても受信状況が異なる。しかし、上記のようにデータを作成しておけば、受信位置だけではなく、第１の部分に対する第２の部分の角度にも応じた受信状況を、移動端末の使用者に提供することができる。
【００１３】
更に、上述した傾き検出手段も移動端末に設けることができる。このように構成すると、第１の部分に対する第２の部分の角度及び移動端末の傾きにも応じた受信状況を移動端末の使用者に提供することができる。
【００１４】
本発明の他の態様の受信情報報知システムでは、上記のいずれかの態様の受信状況表示装置を備えた複数の移動端末が、管理センタと通信可能に構成されている。前記管理センタには、前記複数の移動端末から前記データがそれぞれ送信され、前記管理センタは、各データから様々な位置における広範囲なエリアの受信状況を表すデータベースを作成する。前記各移動端末は、前記管理センタに前記位置情報を送信し、前記管理センタは、送信された位置情報に対応する受信状況を表すデータを当該移動端末に送信する。
【００１５】
このように構成すると、予め実地実験やシミュレーションによって作成したデータベースを用いるのではなく、様々な位置に存在する各移動端末から送信されてくるデータに基づいてデータベースが作成されている。従って、移動端末が存在する位置の周囲環境が過去とは異なったものとなっていても、現在の状況に近い受信状況を移動端末において知ることができる。
【００１６】
前記データが、前記位置情報が表す位置にある前記移動端末において前記放送信号が受信可能か否かを表した受信エリアマップを含むものとできる。このように構成すると、移動端末の使用者が、受信不能なエリアに位置する場合、どの方向にどの程度移動すれば、受信可能となるかの情報を得ることができる。
【発明の効果】
【００１７】
以上のように、本発明によれば、移動端末の周囲の状況が経時的に変化しても、或いは移動端末に個体差があっても、これらに対応した受信状況を移動端末において知ることができる。
【発明を実施するための最良の形態】
【００１８】
本発明の１実施形態の移動端末受信状況報知システムは、図１に示すように、複数の移動端末、例えば携帯電話器２を備えている。これら携帯電話器２は、携帯基地局４を介して携帯電話器として通話が行えるだけでなく、送信局、例えば地上デジタルテレビジョン放送送信局６から送信されている放送信号、例えば地上デジタルテレビジョン放送信号、具体的にはワンセグ放送信号を受信する受信手段、例えばチューナを備えている。このチューナは、送信局６から送信されている全てのチャンネルを受信可能である。携帯電話器２は、さらに、受信した各チャンネルの受信レベルをそれぞれ検出するレベル検出手段、例えばレベル検出器も備えている。
【００１９】
また、これら携帯電話器２は、その携帯電話器２の位置を表す位置情報の検出手段、例えばＧＰＳ用衛星８、８・・・を利用するＧＰＳ装置を備えている。従って、携帯電話器２は、自身がどのような位置にあるかを高精度に測定することができる。さらに、これら携帯電話器２は、傾斜検出手段、例えば傾斜検出器も備えている。傾斜検出器は、携帯電話器２が、それの使用者によって例えば水平面に対してどのような角度で使用されているかを検出する。
【００２０】
また、携帯電話器２は、折り畳式の場合、第１及び第２の部分２ａ、２ｂからなり、不使用時には第１の部分２ａが第２の部分２ｂに対して重なり合うように配置されているが、使用時には第１の部分２ａが第２の部分２ｂに対して或る角度をなすように開かれて使用される。第１の部分２ａ内にはワンセグ放送受信用アンテナが収容されており、上記開きの角度によってアンテナの感度が異なる。そこで、この開きの角度を角度検出器によって検出している。
【００２１】
各携帯電話器２は、これら各情報、即ち、レベル検出器によるレベル情報、ＧＰＳ装置による位置情報、傾斜検出器による傾斜情報、角度検出器による角度情報を、一定時間が経過するごとに図４に示すように検出する。そして、各携帯電話器２は、これら各情報を解析し、データを生成する。
【００２２】
まず、携帯電話器２の現在の受信レベルが、良好にワンセグ放送信号を受信できる基準レベル以上であるかを判定する。この判定結果、即ち、受信可能であるか不能であるかを、携帯電話器２が備える表示手段、例えば表示部に図３（ａ）または（ｂ）に示すように表示することが可能である。
【００２３】
さらに、携帯電話器２は、ＧＰＳ装置に関連して、地図データも有しており、ＧＰＳ装置による位置情報が表す位置及びその周辺を表す地図データに、位置情報が示す位置を表す表示子を追加した受信エリアマップを図４に示すように作成可能で、それを表示部に図３（ｃ）に示すように表示することも可能である。このような受信エリアマップのデータは、携帯電話器２に内蔵しておくことが可能である。
【００２４】
図３（ａ）または（ｂ）のような表示を行うか、図３（ｃ）に示すような表示を行うかは、携帯電話器２が備えるキーの操作によって選択できる。このように日常の生活地域における種々の最新データが携帯電話器２では検出され、この検出されたデータが携帯電話器２に蓄積可能である。
【００２５】
上記判定結果と、受信レベルと、携帯電話器２が現在存在する位置情報と、携帯電話器２の現在の傾斜情報と、携帯電話器２の現在の角度情報と、受信エリアマップと、携帯電話器２の機種を表す型番データとを１組のデータとして、図２に示すように携帯基地局４に送信手段、例えば送信回路によって送信する。
【００２６】
この送信は、上記情報を検出し、上述した処理が行われるごとに自動的に行うことができる。しかし個人情報の保護の観点から送信を望まない携帯電話器２の使用者の存在を考慮して、自動送信を行うか否かを使用者が設定できるようにすることが望ましい。また、このような情報の送信を行うか否かを使用者が設定できるようにすることも望ましい。
【００２７】
携帯基地局４では、各携帯電話器２から受信した各組のデータを管理センタ１０に送信する。管理センタ１０では、これら各組のデータを基に、図２に示すように、広範囲なデータベース（広範囲な受信エリアマップ情報）を作成し、格納している。各携帯電話器２は、それらの使用者に従って様々な位置、様々な傾斜、様々な角度、様々な機種で使用されているので、各携帯電話器２では様々な位置の様々な傾斜、様々な角度及び様々な機種における受信レベルが、位置、傾斜、角度、機種に対応させて解析され、上述したデータが各携帯電話器２において作成される。これらデータが、各携帯電話器２から携帯基地局４を介して管理センタ１０に送信されるごとに、管理センタ１０の広範囲なデータベースが更新されている。即ち、特定の時期に実地実験したデータやシミュレーションによって決定した受信レベルが継続的に広範囲なデータベースで使用されるのではなく、比較的最近に測定された受信レベルが広範囲なデータベースには、含まれている。
【００２８】
この広範囲なデータベースでは、位置情報、傾斜情報、角度情報及び機種情報のうちいずれかあるいはこれらの適切な組合せがキーとして入力されると、このキーに対応する受信レベルと、携帯電話器２の現在位置の周囲のデータマップ、このデータマップ上の各位置での傾斜情報、角度情報、機種情報、受信レベル、受信良否の判定結果（受信エリアマップ情報）がそれぞれ検索される。
【００２９】
いずれかの携帯電話器２において、その携帯電話器２の現在位置において地上デジタルテレビジョン放送をどのようにすれば視聴できるか否か知りたいときには、例えば現在位置が日常の生活地域であって携帯電話器２にその現在位置の受信エリアマップのデータが内蔵されていれば、それを表示するが、そうでない場合（例えば現在位置が日常の生活地域とは異なる位置の場合）には、携帯電話器２の所定のキー操作によって、上述した携帯電話器２の現在の位置情報、傾斜情報及び角度情報が検出され、これらが１組として、携帯基地局４を介して管理センタ１０に送信される。管理センタ１０では、送信された１組の情報をキーとして上述したように広範囲なデータベースの検索が行われ、キーである１組の情報に対応する受信レベル及びその位置の周辺での位置情報、傾斜情報、角度情報、型番号情報、受信レベル、受信良否判定結果が検索され、携帯基地局４を介して上記１組の情報を送信してきた携帯電話器２に受信エリアマップの情報として返信される。
【００３０】
返信を受けた携帯電話器２では、自己の位置情報、傾斜情報、角度情報、機種情報のうちいずれかまたは適切な組合せを基に返信されてきた受信エリアマップの情報の中から、自己の携帯電話器２の位置の周囲の受信良否判定結果を検索し、どの方向に携帯電話器２を向けるか或いは移動するか携帯電話器２の角度をどのようにすれば、地上デジタルテレビジョン放送信号を受信することが可能になるかも判定し、その判定結果を表示部に図３（ｄ）に示すように表示する。或いは、どの方向に携帯電話器２の所有者が移動すれば良好に受信できるかも判定し、その結果を図３（ｃ）に示すように表示部に表示した受信エリアマップ上に表す。なお、これらの情報が受信エリアマップ情報に含まれている場合には、受信した受信エリアマップ情報に基づいて図３（ｃ）または図３（ｄ）に示すような表示を行う。
【００３１】
なお、受信エリアマップは、その位置情報が表す位置で地上デジタルテレビジョン放送信号を視聴することができるか及びその周囲でも視聴できるかを色分け等によって区分けして表示するように加工されている。同図（ｃ）において丸で示してあるのが当該携帯電話器２を表す表示子で、斜線を付してある部分が受信不可能エリアで、斜線が付されていない部分が受信可能エリアである。
【００３２】
従って、この受信状況報知システムを利用すれば、携帯電話器２の現在位置において受信できない場合、どの方向に移動すればよいかを文字及び地図上で知ることができ、受信できないというクレームを軽減することができる。しかも、視聴できるか否かの判定の基礎となる受信レベルは、一定時間ごとに様々な携帯電話器２から管理センタ１０に送信され、広範囲なデータベースとして格納されている。従って、これら携帯電話器２が使用されている受信エリアにおいて新たに建物が建設される等の環境の変化が生じていても、その変化に即応した受信レベルが広範囲なデータベースに反映しているので、地上デジタルテレビジョン放送信号を視聴できるか否かについて広範囲なデータベースを使用することによって正確に判定することができる。また、基地局の管理側でも広範囲なデータベースを調査することによって受信不良の地域の特定が容易に行え、中継局の新たな設置を計画する際の基礎資料が安価にかつ容易に得られる。
【００３３】
上記の実施の形態では、移動端末として携帯電話器２を使用したが、これに限ったものではなく、地上デジタルテレビジョン放送信号を受信する受信手段を備えた移動端末、例えばＰＨＳ、ＰＤＡ、車載用受信装置等を使用することもできる。また、携帯電話器２を使用したので、管理センタ１０との送受信は、携帯基地局４を介して行ったが、例えば移動端末が携帯電話器で無い場合、無線インターネットを介して管理センタ１０と送受信することもできる。上記の実施の形態では、携帯電話器２は、受信レベルと、位置情報と、傾斜情報と、角度情報とに基づいてデータを作成したが、最低限度、位置情報と受信レベルとによってデータを作成することもできるし、位置情報と、傾斜情報と、受信レベルとによってデータを作成することもできるし、位置情報と角度情報と受信レベルとによってデータを作成することもできる。また、上記の実施の形態では、地上デジタルテレビジョン放送信号を使用したが、これに限ったものではなく、移動端末で受信可能な放送信号であれば、種々のものを使用することができ、例えば衛星からのモバイル放送信号を使用することもできる。
【００３４】
上記の実施形態では、各地上デジタルテレビジョン放送信号が同一の方向から到来することを前提としたが、実際には異なる方向から各地上デジタルテレビジョン放送信号が到来することもある。この場合に備えて、異なるチャンネルの地上デジタルテレビジョン放送信号の受信レベルを個別に検出し、チャンネルごとに上記のデータベースを作成することもできる。
【００３５】
上記の実施形態では、ＧＰＳ装置は緯度と経度との二次元情報を検出するものとしたが、これに加えて高度の情報も検出するようにすれば三次元情報が得られ、さらに良好に受信状況を改善することが可能となる。また、移動端末として携帯電話器を上記の実施形態では示したが、移動体、例えば車両搭載用の端末装置とすることもできる。この場合、高速での移動が考えられるが、データ作成用に最低限度、受信レベルと位置情報を収集すればよい。但し、移動体の移動方向と移動速度のデータも収集することにより、移動方向、移動速度を考慮した詳細な受信エリア情報を提供することが可能となる。
【図面の簡単な説明】
【００３６】
【図１】本発明の１実施形態の移動端末装置の受信状況報知システムの概略構成図である。
【図２】図１の受診状況報知システムでの信号の流れを示す図である。
【図３】図１の受信状況報知システムの携帯電話器での表示例を示す図である。
【図４】図１の受信状況報知システムの携帯電話器で行われる処理の例を示す図である。
【符号の説明】
【００３７】
２  携帯電話器（移動端末）
６  放送局
１０  管理センタ
【図１】
2007274354.tif 000003
【図２】
2007274354.tif 000004
【図３】
2007274354.tif 000005
【図４】
2007274354.tif 000006